(57)【要約】【課題】  傾斜部を下方から覆う建築体に対する作業を、建築体の内部から行うことができるマンコンベヤの構造体を提供する。【解決手段】  マンコンベヤの構造体は、上下階の間に掛け渡されるマンコンベヤの構造体であって、水平方向に対して傾斜する傾斜部を備え、傾斜部は、底部を覆うように配置される底板部を備え、底板部は、少なくとも一つの開口を有する板本体と、開口を覆うように配置され、板本体に着脱可能なカバー体と、を備える。【選択図】  図３
2020015569.tif 000002
【特許請求の範囲】
【請求項１】
上下階の間に掛け渡されるマンコンベヤの構造体であって、
水平方向に対して傾斜する傾斜部を備え、
前記傾斜部は、底部を覆うように配置される底板部を備え、
前記底板部は、少なくとも一つの開口を有する板本体と、前記開口を覆うように配置され、前記板本体に着脱可能なカバー体と、を備える、マンコンベヤの構造体。
【請求項２】
前記板本体は、前記開口を囲うように、前記カバー体に向けて突出する環状の本体突出部を備え、
前記カバー体は、前記板本体に向けて突出し且つ前記本体突出部の外方に配置されるカバー突出部を備え、
前記カバー突出部は、一部が開放された環状に形成される、請求項１に記載のマンコンベヤの構造体。
【請求項３】
前記カバー突出部は、下方が開放された環状に形成される、請求項２に記載のマンコンベヤの構造体。
【請求項４】
前記本体突出部と前記カバー突出部とが離れるように、前記カバー体を止める停止部を備える、請求項２又は３に記載のマンコンベヤの構造体。
【請求項５】
人を搬送する搬送部と、
前記搬送部を支持する請求項１〜４の何れか１項に記載の構造体と、を備えるマンコンベヤ。
【発明の詳細な説明】
【技術分野】
【０００１】
本発明は、マンコンベヤの構造体及びマンコンベヤに関する。
【背景技術】
【０００２】
従来、例えば、マンコンベヤは、上下階の間に掛け渡される構造体を備えている（例えば、特許文献１）。構造体は、水平方向に沿う一対の端部と、一対の端部間に配置され、水平方向に対して傾斜する傾斜部とを備えている。なお、一対の端部及び傾斜部は、それぞれ底部を覆うオイルパンを備えている。また、構造体の下方には、構造体を下方から覆う建築体が設けられている。
【０００３】
ところで、建築体の下方には、マンコンベヤが設置されている。したがって、当該建築体に対する作業（例えば、点検作業、保守作業、交換作業）を建築体の外部から行う際に、例えば、足場を組み立てる必要があるため、当該建築体に対する作業が、非常に煩雑であった。なお、特許文献１に係るマンコンベヤにおいては、構造体の据付作業時に使用するための開口が、傾斜部には必要無いため、例えば、オイルパンの開口から油が漏れることを防止するために、傾斜部に、不必要な開口を設けることができなかった。
【先行技術文献】
【特許文献】
【０００４】
【特許文献１】特開平６−２５５９６６号公報
【発明の概要】
【発明が解決しようとする課題】
【０００５】
そこで、課題は、傾斜部を下方から覆う建築体に対する作業を、建築体の内部から行うことができるマンコンベヤの構造体及びマンコンベヤを提供することである。
【課題を解決するための手段】
【０００６】
マンコンベヤの構造体は、上下階の間に掛け渡されるマンコンベヤの構造体であって、水平方向に対して傾斜する傾斜部を備え、前記傾斜部は、底部を覆うように配置される底板部を備え、前記底板部は、少なくとも一つの開口を有する板本体と、前記開口を覆うように配置され、前記板本体に着脱可能なカバー体と、を備える。
【０００７】
また、マンコンベヤの構造体においては、前記板本体は、前記開口を囲うように、前記カバー体に向けて突出する環状の本体突出部を備え、前記カバー体は、前記板本体に向けて突出し且つ前記本体突出部の外方に配置されるカバー突出部を備え、前記カバー突出部は、一部が開放された環状に形成される、という構成でもよい。
【０００８】
また、マンコンベヤの構造体においては、前記カバー突出部は、下方が開放された環状に形成される、という構成でもよい。
【０００９】
また、マンコンベヤの構造体は、前記本体突出部と前記カバー突出部とが離れるように、前記カバー体を止める停止部を備える、という構成でもよい。
【００１０】
また、マンコンベヤは、人を搬送する搬送部と、前記搬送部を支持する前記の構造体と、を備える。
【図面の簡単な説明】
【００１１】
【図１】図１は、一実施形態に係るマンコンベヤの全体概要図である。
【図２】図２は、同実施形態に係るマンコンベヤの構造体の要部斜視図である。
【図３】図３は、同実施形態に係るマンコンベヤの構造体の要部分解斜視図である。
【図４】図４は、図２のIV−IV線における拡大断面図である。
【図５】図５は、図２のＶ−Ｖ線における拡大断面図である。
【図６】図６は、同実施形態に係るマンコンベヤの構造体の要部斜視図であって、カバー体を板本体に取り付ける方法を説明する図である。
【図７】図７は、同実施形態に係るマンコンベヤの構造体の要部斜視図であって、カバー体を板本体に取り付ける方法を説明する図である。
【図８】図８は、他の実施形態に係るマンコンベヤの構造体の要部拡大断面図である。
【図９】図９は、さらに他の実施形態に係るマンコンベヤの構造体の要部拡大断面図である。
【図１０】図１０は、さらに他の実施形態に係るマンコンベヤの構造体の要部分解斜視図である。
【発明を実施するための形態】
【００１２】
以下、マンコンベヤ及びマンコンベヤの構造体における一実施形態について、図１〜図７を参照しながら説明する。なお、各図（図８〜図１０も同様）において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体に固定される構造体２と、人を搬送する搬送部３と、人につかまれる手摺部４と、搬送部３及び手摺部４を駆動させる駆動部５と、マンコンベヤ１の全体を制御する制御部６とを備えている。なお、本実施形態に係るマンコンベヤ１は、踏面が階段状になるエスカレータであるが、斯かる構成に限られない。例えば、マンコンベヤ１は、踏面が平面状となる移動歩道（動く歩道）であってもよい。
【００１４】
構造体２は、躯体に固定されるトラス構造２ａを備えている。トラス構造２ａは、上下階の間に掛け渡されている。また、トラス構造２ａは、上方の端部と下方の端部とに、それぞれ機械室２ｂ，２ｂを備えている。具体的には、トラス構造２ａは、マンコンベヤ１の各乗降口１ａの下方に、機械室２ｂを備えている。なお、構造体２は、各構成３〜６を支持している。
【００１５】
搬送部３は、無端回転する環状の走行部（例えば、チェーン）３ａと、走行部３ａに対して回転可能に接続され、人が乗る踏面を有する複数のステップ３ｂとを備えている。なお、走行部３ａは、第１横方向（幅方向）Ｄ１に離れて一対設けられている。そして、複数のステップ３ｂは、一対の走行部３ａ，３ａの間に配置され、それぞれの走行部３ａに対して回転可能に接続されている。
【００１６】
なお、第１横方向Ｄ１は、水平方向と平行な方向であって、上下方向Ｄ３は、水平方向と直交する方向であって、鉛直方向と平行な方向である。また、第２横方向Ｄ２は、水平方向と平行な方向であって、且つ、第１横方向Ｄ１と直交する方向である。
【００１７】
駆動部５は、ステップ３ｂが反転するように、走行部３ａが巻き掛けられる一対の回転部（例えば、スプロケット）５ａ，５ａと、回転部５ａを回転させる駆動源（例えば、モータ）５ｂとを備えている。回転部５ａは、構造体２に回転可能に接続されている。なお、上方の回転部５ａ及び駆動源５ｂは、上方の機械室２ｂの内部に配置されており、下方の回転部５ａは、下方の機械室２ｂの内部に配置されている。
【００１８】
ところで、構造体２は、水平方向に沿う一対の端部２ｃ，２ｃと、一対の端部２ｃ，２ｃ間に配置され、水平方向に対して傾斜する傾斜部２ｄとを備えている。そして、端部２ｃは、それぞれ機械室２ｂを備えている。
【００１９】
なお、傾斜部２ｄが延びる方向は、傾斜方向Ｄ４といい、傾斜方向Ｄ４と直交する方向は、垂直方向Ｄ５という。また、各図において、傾斜方向Ｄ４の矢印方向は、傾斜方向Ｄ４の下方といい、その反対方向は、傾斜方向Ｄ４の上方という。また、各図において、垂直方向Ｄ５の矢印方向は、垂直方向Ｄ５の上方といい、その反対方向は、垂直方向Ｄ５の下方という。
【００２０】
傾斜部２ｄは、底部を覆うように配置される底板部７を備えている。そして、底板部７は、トラス構造２ａの垂直方向Ｄ５の下端に固定されている。なお、底板部７は、トラス構造２ａの垂直方向Ｄ５の下端よりも少し上方の部分に、固定されていてもよい。そして、底板部７は、例えば、油を受けるためのオイルパンとしての機能や、結露した水を受けるためのドリップパンとしての機能を有している。
【００２１】
また、建物は、構造体２の側方及び下方に、構造体２を側方及び下方から覆う建築体２０を備えている。例えば、建築体２０は、構造体２を覆う外装体２０ａと、外装体２０ａに取り付けられる建築設備２０ｂとを備えている。なお、建築体２０は、図示していない支持構造により、構造体２に支持されている。
【００２２】
外装体２０ａの構成は、特に限定されない。例えば、外装体２０ａとして、外装壁や外装天井を構成するパネル等が挙げられる。また、建築設備２０ｂの構成は、特に限定されない。例えば、建築設備２０ｂとして、照明器具、空調設備（例えば、給気口、排気口）及び消防設備（例えば、感知器、スプリンクラー）等が挙げられる。
【００２３】
図２及び図３に示すように、底板部７は、開口８ａを有する板本体８と、開口８ａを覆うように配置され、板本体８に着脱可能なカバー体９と、カバー体９を板本体８に固定させる固定体１０とを備えている。これにより、カバー体９が板本体８から取り外された後に、開口８ａを経由することによって、建築体２０（図１参照）に対する作業（例えば、点検作業、保守作業、交換作業）を行うことができる。
【００２４】
即ち、建築体２０に対する作業を、建築体２０の内部から行うことができる。したがって、例えば、建築体２０に対する作業を行うために、建築体２０の外部に足場等を設置する必要がない。これにより、建築体２０に対する作業を容易に行うことができる。
【００２５】
なお、開口８ａの個数は、特に限定されない。例えば、開口８ａは、板本体８に一つ設けられている、という構成でもよく、また、例えば、開口８ａは、傾斜方向Ｄ４に複数並列するように、板本体８に設けられている、という構成でもよい。
【００２６】
また、開口８ａの位置は、特に限定されない。例えば、開口８ａは、建築設備２０ｂ（図１参照）と上下方向Ｄ３で対面する位置に設けられている、という構成でもよく、また、例えば、開口８ａは、建築設備２０ｂと垂直方向Ｄ５で対面する位置に設けられている、という構成でもよい。
【００２７】
また、本実施形態においては、開口８ａは、長方形状に形成されているが、開口８ａの形状は、特に限定されない。例えば、開口８ａは、正方形状又は多角形状に形成されている、という構成でもよく、また、例えば、開口８ａは、円形状又は楕円形状に形成されている、という構成でもよい。
【００２８】
板本体８は、開口８ａを有する本体部８ｂと、開口８ａを囲うように、本体部８ｂからカバー体９に向けて突出する本体突出部８ｃとを備えている。カバー体９は、開口８ａを覆うカバー部９ａと、カバー部９ａから板本体８に向けて突出するカバー突出部９ｂとを備えている。なお、カバー体９が板本体８に取り付けられた際に、カバー部９ａは、開口８ａを、垂直方向Ｄ５の上方から覆っている。
【００２９】
本体突出部８ｃは、開口８ａの内縁から垂直方向Ｄ５の上方に向けて突出している。また、本体突出部８ｃは、閉塞された無端の環状に形成されている。そして、本体突出部８ｃは、傾斜方向Ｄ４の上方に配置される上壁部８ｄと、傾斜方向Ｄ４の下方に配置される下壁部８ｅと、幅方向Ｄ１で対面するように配置され、端部が上壁部８ｄと下壁部８ｅとにそれぞれ連結される一対の側壁部８ｆ，８ｆとを備えている。
【００３０】
カバー突出部９ｂは、カバー部９ａの外縁から垂直方向Ｄ５の下方に向けて突出している。また、カバー突出部９ｂは、一部が開放された環状に形成されている。具体的には、カバー突出部９ｂは、傾斜方向Ｄ４の下方が開放された環状に形成されている。そして、カバー突出部９ｂは、傾斜方向Ｄ４の上方に配置される上壁部９ｃと、幅方向Ｄ１で対面するように配置され、端部が上壁部９ｃに連結される一対の側壁部９ｄ，９ｄと、傾斜方向Ｄ４の下方を開放させる開放部９ｅとを備えている。
【００３１】
また、カバー体９は、固定体１０に固定される被固定部９ｆを備えている。被固定部９ｆは、カバー突出部９ｂから外方に向けて、突出している。具体的には、被固定部９ｆは、カバー突出部９ｂの側壁部９ｄから幅方向Ｄ１の外方に向けて、板状に突出している。そして、被固定部９ｆは、孔部９ｇを備えており、孔部９ｇは、傾斜方向Ｄ４の下方が開放された開口である。
【００３２】
固定体１０は、本実施形態においては、雌ねじ部材（例えば、蝶ネジ、ナット）としており、板本体８は、本体部８ｂから垂直方向Ｄ５の上方に向けて突出する雄ねじ部８ｈを備えている。そして、雄ねじ部８ｈがカバー体９の孔部９ｇの内部に挿入され、固定体１０が雄ねじ部８ｈと螺合することによって、カバー体９の被固定部９ｆが、板本体８の本体部８ｂと固定体１０とに挟まれる。これにより、カバー体９が板本体８に固定される。
【００３３】
また、板本体８は、カバー体９を止める停止部８ｇを備えており、カバー体９は、停止部８ｇに止められる被停止部９ｈを備えている。本実施形態においては、停止部８ｇは、雄ねじ部８ｈの外周で構成されており、被停止部９ｈは、孔部９ｇの内縁で構成されている。そして、停止部８ｇが被停止部９ｈを止めることによって、カバー体９は、板本体８に対して位置決めされている。
【００３４】
これにより、図４及び図５に示すように、本体突出部８ｃは、カバー部９ａ及びカバー突出部９ｂから離れている。これにより、板本体８が振動で揺れた際に、本体突出部８ｃとカバー突出部９ｂとが繰り返して衝突し合うことを抑制することができる。したがって、衝突音が発生することを抑制することができるため、構造体２で騒音が発生することを抑制することができる
【００３５】
本実施形態に係るマンコンベヤ１の構成については以上の通りであり、次に、本実施形態に係る構造体２の機能について、図４及び図５を参照しながら説明する。
【００３６】
床板部７には、例えば、走行部３ａ（図１参照）に供給された油が垂れてきたり、例えば、構造体２の内部で結露した水が垂れてきたりする。そして、斯かる液体（油、水）は、板本体８の本体部８ｂの上を流れる。それに対して、本体突出部８ｃが、開口８ａを囲うように環状に形成されている。
【００３７】
しかも、カバー突出部９ｂは、本体突出部８ｃの外方に配置されている。具体的には、カバー突出部９ｂの上壁部９ｃは、本体突出部８ｃの上壁部８ｄよりも、傾斜方向Ｄ４の上方に配置され、カバー突出部９ｂの側壁部９ｄは、本体突出部８ｃの側壁部８ｆよりも、幅方向Ｄ１の外方に配置されている。そして、上壁部８ｄ，９ｃ同士は、傾斜方向Ｄ４視において、重なっており、側壁部８ｆ，９ｄ同士は、幅方向Ｄ１視において、重なっている。
【００３８】
これにより、本体部８ｂの上を流れる液体（油、水）は、カバー突出部９ｂで止められるため、液体が開口８ａから構造体２の外部に漏れることを抑制することができる。なお、カバー突出部９ｂは開放部９ｅを備えているが、液体が傾斜方向Ｄ４の上方に向けて流れることは無いため、液体が開放部９ｅを通過することはない。
【００３９】
また、万が一、液体がカバー突出部９ｂを通過して本体突出部８ｃまで到達したとしても、本体突出部８ｃが、閉塞された無端の環状に形成されているため、液体が開口８ａから構造体２の外部に漏れることを確実に抑制することができる。したがって、液体が建築体２０（図１参照）に到達することを抑制することができる。
【００４０】
次に、本実施形態に係るカバー体９の板本体８への取り付け方法について、図６及び図７を参照しながら説明する。
【００４１】
図６に示すように、カバー体９においては、カバー突出部９ｂの傾斜方向Ｄ４の下方は、開放部９ｅにより、開放されており、また、被固定部９ｆの孔部９ｇの傾斜方向Ｄ４の下方は、開放されている。これにより、カバー体９が板本体８の上をスライドされることによって、図７に示すように、本体突出部８ｃがカバー突出部９ｂの内部に入れられると共に、雄ねじ部８ｈが孔部９ｇの内部に入れられる。
【００４２】
そして、板本体８の停止部８ｇがカバー体９の被停止部９ｈを幅方向Ｄ１及び傾斜方向Ｄ４で止めることによって、カバー体９は、板本体８に対して位置決めされる。その後、固定体１０が雄ねじ部８ｈと螺合することによって、カバー体９が板本体８に固定される。このように、カバー体９を板本体８に取り付ける作業が容易である。
【００４３】
なお、カバー体９を板本体８から取り外す方法は、上述の取り付け方法と反対の手順で行えばよい。具体的には、固定体１０を雄ねじ部８ｈに対して緩めて、カバー体９を板本体８の上をスライドさせることによって、カバー体９を板本体８から取り外すことができる。また、構造体２は、傾斜部２ｄだけでなく、端部２ｃにも、上述したような開口８ａを有する底板部７を備えていてもよい。
【００４４】
以上より、本実施形態に係るマンコンベヤ１は、人を搬送する搬送部３と、前記搬送部３を支持する前記の構造体２と、を備える。
【００４５】
そして、本実施形態に係るマンコンベヤ１の構造体２は、上下階の間に掛け渡されるマンコンベヤ１の構造体２であって、水平方向Ｄ１，Ｄ２に対して傾斜する傾斜部２ｄを備え、前記傾斜部２ｄは、底部を覆うように配置される底板部７を備え、前記底板部７は、少なくとも一つの開口８ａを有する板本体８と、前記開口８ａを覆うように配置され、前記板本体８に着脱可能なカバー体９と、を備える。
【００４６】
斯かる構成によれば、カバー体９が板本体８から取り外されることによって、傾斜部２ｄの板本体８が、開口８ａで開放される。これにより、開口８ａを経由することによって、傾斜部２ｄを下方から覆う建築体２０に対する作業を、建築体２０の内部から行うことができる。
【００４７】
また、本実施形態に係るマンコンベヤ１の構造体２においては、前記板本体８は、前記開口８ａを囲うように、前記カバー体９に向けて突出する環状の本体突出部８ｃを備え、前記カバー体９は、前記板本体８に向けて突出し且つ前記本体突出部８ｃの外方に配置されるカバー突出部９ｂを備え、前記カバー突出部９ｂは、一部が開放された環状に形成される、という構成である。
【００４８】
斯かる構成によれば、本体突出部８ｃが、開口８ａを囲うように環状に形成されているため、板本体８の上を流れる液体（例えば、油、水）は、本体突出部８ｃに止められる。また、カバー突出部９ｂの一部が開放されているため、本体突出部８ｃは、カバー突出部９ｂの開放された部分から、カバー突出部９ｂの内部と外部との間を出し入れされる。
【００４９】
また、本実施形態に係るマンコンベヤ１の構造体２においては、前記カバー突出部９ｂは、下方が開放された環状に形成される、という構成である。
【００５０】
斯かる構成によれば、傾斜部２ｄが水平方向Ｄ１，Ｄ２に対して傾斜しているため、液体が傾斜方向Ｄ４を上方から下方に向けて流れることに対して、カバー突出部９ｂの下方が、開放されている。これにより、液体がカバー突出部９ｂの下方を通過することがなく、しかも、本体突出部８ｃは、カバー突出部９ｂの下方から、カバー突出部９ｂの内部と外部との間を出し入れされる。
【００５１】
また、本実施形態に係るマンコンベヤ１の構造体２は、前記本体突出部８ｃと前記カバー突出部９ｂとが離れるように、前記カバー体９を止める停止部８ｇを備える、という構成である。
【００５２】
斯かる構成によれば、停止部８ｇがカバー体９を止めることによって、カバー体９は、板本体８に対して位置決めされる。これにより、本体突出部８ｃとカバー突出部９ｂとを離すことができる。
【００５３】
なお、マンコンベヤ１及び構造体２は、上記した実施形態の構成に限定されるものではなく、また、上記した作用効果に限定されるものではない。また、マンコンベヤ１及び構造体２は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５４】
（１）構造体２は、図８に示すように、板本体８とカバー体９との間を封止するために、板本体８とカバー体９との間に配置される封止体１１を備えている、という構成でもよい。封止体１１は、板本体８及びカバー体９の形状に応じて変形可能となるように、弾性又は可撓性を有している。
【００５５】
また、封止体１１の形状及び位置は、特に限定されない。図８においては、封止体１１は、環状に形成されており、本体突出部８ｃの先端部に嵌められている。そして、カバー体９が板本体８に取り付けられた際に、封止体１１は、本体突出部８ｃとカバー部９ａとの間に挟まれている。
【００５６】
（２）また、上記実施形態に係る構造体２においては、固定体１０は、板本体８の雄ねじ部８ｈと螺合する雌ねじ部材である、という構成である。しかしながら、構造体２は、斯かる構成に限られない。例えば、図９に示すように、固定体１０は、板本体８の雌ねじ部８ｉに螺合する雄ねじ部材（例えば、ボルト）である、という構成でもよい。
【００５７】
（３）また、上記実施形態に係る構造体２においては、停止部８ｇは、板本体８に備えれている、という構成である。しかしながら、構造体２は、斯かる構成に限られない。例えば、図９に示すように、停止部１０ａは、固定体１０に備えれている、という構成でもよい。図９に係る停止部１０ａは、カバー体９の孔部９ｇに挿入される雄ねじ部の外周で構成されている。なお、構造体２は、停止部８ｇ，１０ａを備えている、という構成が好ましいものの、停止部８ｇ，１０ａを備えていない、という構成でもよい。
【００５８】
（４）また、上記実施形態に係る構造体２においては、カバー突出部９ｂは、一部が開放された環状に形成されている、という構成である。しかしながら、構造体２は、斯かる構成が好ましいものの、斯かる構成に限られない。例えば、図１０に示すように、カバー突出部９ｂは、閉塞された無端の環状に形成されている、という構成でもよい。
【００５９】
図１０に係るカバー突出部９ｂは、上壁部９ｃと、一対の側壁部９ｄ，９ｄと、傾斜方向Ｄ４の下方に配置される下壁部９ｉとを備えている。なお、図１０に係る被固定部９ｆの孔部９ｇは、閉塞された開口である。したがって、図１０に係る底板部７においては、カバー体９が板本体８に対して垂直方向Ｄ５に変位されることによって、カバー体９を板本体８に着脱することができる。
【００６０】
（５）また、上記実施形態に係る構造体２においては、板本体８は、本体突出部８ｃを備えており、カバー体９は、カバー突出部９ｂを備えている、という構成である。しかしながら、構造体２は、斯かる構成が好ましいものの、斯かる構成に限られない。例えば、板本体８は、本体突出部８ｃを備えていない、という構成でもよい。また、例えば、カバー体９は、カバー突出部９ｂを備えていない、という構成でもよい。
【００６１】
（６）また、上記実施形態に係る構造体２においては、カバー突出部９ｂは、傾斜方向Ｄ４の下方が開放された環状に形成される、という構成である。しかしながら、構造体２は、斯かる構成が好ましいものの、斯かる構成に限られない。例えば、カバー突出部９ｂは、傾斜方向Ｄ４の上方が開放された環状に形成される、という構成でもよい。
【００６２】
（７）また、上記実施形態に係る構造体２においては、カバー体９が板本体８に取り付けられた際に、本体突出部８ｃとカバー突出部９ｂとが離れている、という構成である。しかしながら、構造体２は、斯かる構成が好ましいものの、斯かる構成に限られない。例えば、カバー体９が板本体８に取り付けられた際に、本体突出部８ｃとカバー突出部９ｂとが接する、という構成でもよい。
【符号の説明】
【００６３】
１…マンコンベヤ、１ａ…乗降口、２…構造体、２ａ…トラス構造、２ｂ…機械室、２ｃ…端部、２ｄ…傾斜部、３…搬送部、３ａ…走行部、３ｂ…ステップ、４…手摺部、５…駆動部、５ａ…回転部、５ｂ…駆動源、６…制御部、７…底板部、８…板本体、８ａ…開口、８ｂ…本体部、８ｃ…本体突出部、８ｄ…上壁部、８ｅ…下壁部、８ｆ…側壁部、８ｇ…停止部、８ｈ…雄ねじ部、８ｉ…雌ねじ部、９…カバー体、９ａ…カバー部、９ｂ…カバー突出部、９ｃ…上壁部、９ｄ…側壁部、９ｅ…開放部、９ｆ…被固定部、９ｇ…孔部、９ｈ…被停止部、９ｉ…下壁部、１０…固定体、１０ａ…停止部、１１…封止体、２０…建築体、２０ａ…外装体、２０ｂ…建築設備、Ｄ１…第１横方向（幅方向）、Ｄ２…第２横方向、Ｄ３…上下方向、Ｄ４…傾斜方向、Ｄ５…垂直方向
【図１】
2020015569.tif 000003
【図２】
2020015569.tif 000004
【図３】
2020015569.tif 000005
【図４】
2020015569.tif 000006
【図５】
2020015569.tif 000007
【図６】
2020015569.tif 000008
【図７】
2020015569.tif 000009
【図８】
2020015569.tif 000010
【図９】
2020015569.tif 000011
【図１０】
2020015569.tif 000012